(57)【特許請求の範囲】
【請求項１】
上方及び前後方向に向かって開口するアリ溝がブロック上面部に設けられ、支持対象物に対する連結具の被掛止部が前記アリ溝に対する内挿状態でアリ溝の開口縁部に掛止可能に構成されているとともに、前記アリ溝の開口幅を変更する開口幅変更手段が、前記アリ溝の開口幅を縮小する状態で前記連結具の被掛止部の形状に応じて選択的に装着可能な開口幅縮小部材から構成され、この開口幅縮小部材が、前記アリ溝に前後方向から挿入装着可能で、且つ、その挿入装着状態において上方及び前後方向に開口する状態で前記アリ溝よりも小さなアリ溝を形成する型材から構成されている支持ブロック。
【請求項２】
前記型材が、ブロック上面部の前記アリ溝への挿入装着状態においてアリ溝の底面に接当し、且つ、当該アリ溝の開口縁部の下面を接当支持する形態で構成されている請求項１記載の支持ブロック。
【請求項３】
前記型材の両側壁部の内面が、前記型材のアリ溝に挿入された前記連結具の被掛止部を拘束保持する拘束保持面に構成されている請求項１又は２記載の支持ブロック。
【請求項４】
前記型材が、弾性縮形状態で前記アリ溝に挿入可能で、且つ、その挿入状態からの弾性復元で前記アリ溝に装着可能に構成されている請求項１〜３のいずれか１項に記載の支持ブロック。
【請求項５】
前記型材が、それの両側壁部の高さ方向中間部が前記アリ溝への挿入装着状態において内面側に弾性的に膨出した湾曲姿勢となるように構成されている請求項４記載の支持ブロック。
【請求項６】
前記型材が、それの両側壁部の高さ方向中間部が内面側に膨出する形態での弾性湾曲変形による弾性縮形で前記アリ溝に挿入可能に構成されている請求項５記載の支持ブロック。
【発明の詳細な説明】
【技術分野】
【０００１】
本発明は、管類（例えば、電線管や給排水管等）や機器類（例えば、空調機の室外機等）等の支持対象物を地面や土間等の被設置面の上方側で支持する支持ブロックに関し、
詳しくは、上方に向かって開口するアリ溝（すなわち、溝幅よりも開口幅が小さい溝）がブロック上面部に設けられ、支持対象物に対する連結具（例えば、専用の連結部材やボルト、ナット等の連結金具）の被掛止部がアリ溝に対する内挿状態でアリ溝の開口縁部に掛止可能に構成されている支持ブロックに関する。
【背景技術】
【０００２】
この種の支持ブロックでは、支持対象物の種別によって連結具の大きさや形状が異なる関係上、支持対象物ごとの専用の支持ブロックを製品化するのが一般的である。しかし、この場合、支持対象物の種別数に応じた製品種数が必要になるため、生産効率が低くなる問題があった。
【０００３】
そこで、従来、形状や大きさの異なる複数のアリ溝を上下方向に沿って段々に形成したものが提案されている（例えば、下記特許文献１参照）。
【特許文献１】特開２００１−８２７６９号公報
【発明の開示】
【発明が解決しようとする課題】
【０００４】
ところが、上記の如き従来の支持ブロックでは、支持ブロックにはある程度の重量が要求されるのに対し、アリ溝数を増やす分だけ支持ブロック自身の体積が減少するため、素材選択の余地が制限される問題がある。
【０００５】
本発明は、上述の実情に鑑みて為されたものであって、その主たる課題は、体積の減少を防止しながらも、複数種の支持対象物に対応することのできる支持ブロックを提供する点にある。
【課題を解決するための手段】
【０００６】
支持ブロックは、上方に向かって開口するアリ溝がブロック上面部に設けられ、支持対象物に対する連結具の被掛止部が前記アリ溝に対する内挿状態でアリ溝の開口縁部に掛止可能に構成されているとともに、前記アリ溝の開口幅を変更する開口幅変更手段が設けられている。
【０００７】
上記構成によれば、前記開口幅変更手段によって、連結具の被掛止部の種別等に応じて開口幅を変更することができる。従って、体積の減少を防止しながらも複数種の支持対象物に対応することができる。
【０００８】
前記開口幅変更手段が、前記アリ溝の開口幅を縮小する状態で前記連結具の被掛止部の形状に応じて選択的に装着可能な開口幅縮小部材から構成されている。
【０００９】
上記構成によれば、前記開口幅縮小部材の選択的な装着によって、前記アリ溝の開口幅を連結具の被掛止部の形状に応じた開口幅に簡易且つ確実に変更することができる。また、前記開口幅縮小部材の装着によって、既存の支持ブロックについてもアリ溝の開口幅を変更することができる。
【００１０】
前記開口幅縮小部材が、前記アリ溝に挿入装着可能で、且つ、その挿入装着状態において前記アリ溝よりも小さなアリ溝を形成する型材から構成されている。
【００１１】
上記構成によれば、前記アリ溝への前記型材の挿入装着によって、前記アリ溝よりも小さなアリ溝を形成する。つまり、前記アリ溝への型材の挿入装着によって、前記アリ溝の開口幅に加えてアリ溝の溝幅も縮小することができる。従って、例えば、連結具の被掛止部の外周面をアリ溝の内壁面に接当させる形態で連結具が不測に姿勢変更するのを抑止することができる。
【００１２】
前記型材が、ブロック上面部の前記アリ溝への挿入装着状態においてアリ溝の開口縁部の下面を接当支持する形態で構成されている。
【００１３】
つまり、例えば、ブロック上面部への加重（例えば、支持対象物による加重）によって、アリ溝の開口縁部が破損することが考えられる。これに対し、上記特徴構成によれば、前記型材の挿入装着時において前記型材によりアリ溝の開口縁部の下面を接当支持するから、この支持力でもってブロック上面部からの加重でアリ溝の開口縁部が破損する不具合を効果的に抑止することができる。
【００１４】
前記型材の上部には、前記アリ溝への挿入装着状態においてアリ溝の上部開口を通じてブロック上面部の支持面に回り込む回り込み片部が設けられている。
【００１５】
上記構成によれば、前記型材を前記アリ溝に挿入装着した状態で支持対象物を支持面に支持させることによって、型材の回り込み片部を支持面と支持対象物との間で挟圧する状態で型材をアリ溝に装着することができる。従って、例えば、型材をアリ溝に装着するのに接着材や保持金具等の別部材を用いる場合に比べ、型材のアリ溝への装着手間及び装着時間を効率的に削減することができる。
【００１６】
前記型材が、弾性縮形状態で前記アリ溝に挿入可能で、且つ、その挿入状態からの弾性復元で前記アリ溝に装着可能に構成されている。
【００１７】
上記構成によれば、前記型材の弾性復元によって前記アリ溝の内面を前記型材の外面で自動的に押圧する形態で、すなわち、型材の弾性復元によってアリ溝の内面と型材の外面との摩擦力を自動的に高める形態で型材をアリ溝に装着することができる。従って、型材のアリ溝への装着手間及び装着時間を効率的に削減することができる。
【００１８】
前記型材が、それの両側壁部の高さ方向中間部が前記アリ溝への挿入装着状態において内面側に弾性的に膨出した湾曲姿勢となるように構成されている。
【００１９】
上記構成によれば、前記型材の両側壁部によって前記連結具の被掛止部の外面を弾性的に挟み込む形態で連結具を型材で拘束保持することが可能になる。
【００２０】
前記型材が、それの両側壁部の高さ方向中間部が内面側に膨出する形態での弾性湾曲変形による弾性縮形で前記アリ溝に挿入可能に構成されている。
【００２１】
上記構成によれば、前記連結具を拘束保持するための高さ方向中間部の湾曲形態を利用する形態で、型材をアリ溝に挿入装着するための弾性縮形性能を効率的に得ることができる。
上方に向かって開口するアリ溝がブロック上面部に設けられ、支持対象物に対する連結具の被掛止部が前記アリ溝に対する内挿状態でアリ溝の開口縁部に掛止可能に構成されているとともに、前記アリ溝の溝幅を縮小する溝幅縮小部材が選択的に装着可能に構成されている。
【００２２】
上記構成によれば、前記溝幅縮小部材の装着によって、前記アリ溝の溝幅を縮小することができるから、例えば、連結具の被掛止部の外周面をアリ溝の内壁面に接当させる形態で連結具が不測に姿勢変更するのを抑止することができる。
そして、本発明による第１の特徴構成は、上方及び前後方向に向かって開口するアリ溝がブロック上面部に設けられ、支持対象物に対する連結具の被掛止部が前記アリ溝に対する内挿状態でアリ溝の開口縁部に掛止可能に構成されているとともに、前記アリ溝の開口幅を変更する開口幅変更手段が、前記アリ溝の開口幅を縮小する状態で前記連結具の被掛止部の形状に応じて選択的に装着可能な開口幅縮小部材から構成され、この開口幅縮小部材が、前記アリ溝に前後方向から挿入装着可能で、且つ、その挿入装着状態において上方及び前後方向に開口する状態で前記アリ溝よりも小さなアリ溝を形成する型材から構成されている点にある。
本発明による第２の特徴構成は、前記型材が、ブロック上面部の前記アリ溝への挿入装着状態においてアリ溝の底面に接当し、且つ、当該アリ溝の開口縁部の下面を接当支持する形態で構成されている点にある。
本発明による第３の特徴構成は、前記型材の両側壁部の内面が、前記型材のアリ溝に挿入された前記連結具の被掛止部を拘束保持する拘束保持面に構成されている点にある。
本発明による第４の特徴構成は、前記型材が、弾性縮形状態で前記アリ溝に挿入可能で、且つ、その挿入状態からの弾性復元で前記アリ溝に装着可能に構成されている点にある。
本発明による第５の特徴構成は、前記型材が、それの両側壁部の高さ方向中間部が前記アリ溝への挿入装着状態において内面側に弾性的に膨出した湾曲姿勢となるように構成されている点にある。
本発明による第６の特徴構成は、前記型材が、それの両側壁部の高さ方向中間部が内面側に膨出する形態での弾性湾曲変形による弾性縮形で前記アリ溝に挿入可能に構成されている点にある。
【発明を実施するための最良の形態】
【００２３】
〔第１実施形態〕
図１〜図９は、電線管や給排水管等の管類Ｐや空調機の室外機等の機器類Ｋ（支持対象物の一例）を被設置面Ｇ又はそれの上方側で支持する支持ブロック１を示し、この支持ブロック１は、樹脂（本例では、再生プラスチック）製の横断面視略台形状の箱体から構成されている。
【００２４】
当該支持ブロック１の上面部１Ａには、上方に向かって開口するアリ溝２が設けられている。当該アリ溝２は、本例では、図１、図２に示すように、管類Ｐに対する管類用連結具Ｔ１（支持対象物に対する連結具の一例）の下片部ｔ１（被掛止部の一例）がアリ溝２に対する内挿状態でアリ溝２の開口縁部に掛止可能に構成されている。なお、管類用連結具Ｔ１の上方側には、管類Ｋを挟持状態で保持する保持部ｔ２が設けられている。
【００２５】
具体的には、前記アリ溝２は、支持ブロック１の上面部１Ａの幅方向中央位置において縦長さ方向（前後方向）に沿って支持ブロック１の前端部１Ｃから後端部１Ｄに亘る状態で凹設された凹溝２ａと、この凹溝２ａの両側壁部の上端部の各々に内向きで突設された掛止片部２ｂとから構成されている。
【００２６】
前記アリ溝２の溝幅ｗｍは、図２に示すように、管類用固定部Ｔ１の下片部ｔ１の幅ｗｔの寸法りも大なる寸法ｗ１で構成されているとともに、アリ溝２の開口幅ｗｋは、管類用固定部Ｔ１の下片部ｔ１に連なる細幅片部ｔ３の幅よりも大なる寸法ｗ２で構成されている。
【００２７】
そして、当該支持ブロック１には、図４〜図８に示すように、前記アリ溝２の開口幅ｗｋを変更する開口幅変更手段９が備えられている。当該開口幅変更手段９は、アリ溝２の開口幅ｗｋを縮小する状態で連結具の被掛止部の幅ｗｔ（被掛止部の形状の一例）に応じて選択的に装着可能な開口幅縮小部材９Ａから構成されている。
【００２８】
前記開口幅縮小部材９Ａは、図４〜図６に示すように、アリ溝２に挿入装着可能で、且つ、その挿入装着状態においてアリ溝２よりも小さなアリ溝２´を形成するレール状の型材から構成されている。
【００２９】
当該開口幅縮小部材９Ａを構成するのに、本例では、前記アリ溝２´の底面を構成する底壁部９ａの幅方向両側からアリ溝２´の両側面を構成する側壁部９ｂ、９ｂが立ち上げ形成されているとともに、側壁部９ｂ、９ｂの各々の上端部から天井壁部９ｃ、９ｃが内向きに突出形成されている。そして、当該天井壁部９ｃ、９ｃどうしの間にアリ溝２´の開口部９ｄが長手方向に沿って延伸する状態で形成されている。
【００３０】
つまり、開口幅縮小部材９Ａは、アリ溝２への挿入装着によってアリ溝２の内部にアリ溝２´を形成ることで、アリ溝２の開口幅ｗｍの寸法をｗ２からｗ２´（具体的には、アリ溝２´の開口部９ｄの幅寸法）に縮小するとともに、アリ溝２の溝幅ｗｍの寸法をｗ１からｗ１´（アリ溝２の側壁部９ｂ間の寸法）に縮小する。
【００３１】
すなわち、当該支持ブロック１は、図７、図８に示すように、管類用連結具Ｔ１よりも被掛止部の幅ｗｔが小さな機器類用連結具Ｔ２（支持対象物に対する連結具の一例）を掛止させる場合には、開口幅縮小部材９Ａをアリ溝２に挿入装着することによって、開口幅縮小部材９Ａにより開口幅ｗｋを縮小させたアリ溝２´の開口縁部（具体的には、開口幅縮小部材９Ａの天井壁部９ｃ）でもって機器類用連結具Ｔ２の被掛止部を掛止可能に構成されている。
【００３２】
機器類用連結具Ｔ２は、機器類Ｋの下部に備えられた金属製の取付片部ｋ１とアリ溝２´の開口縁部とを挟着させるボルトｔ４とナットｔ５とから構成されている。なお、ボルトｔ４の頭部が前記被掛止部に相当する。
【００３３】
前記開口幅縮小部材９Ａは、図５、図６に示すように、弾性縮形状態でアリ溝２に挿入可能で、且つ、その挿入状態からの弾性復元でアリ溝２に装着可能に構成されている。つまり、開口幅縮小部材９Ａは、圧縮力により弾性縮形変形可能な弾性素材（本例では、合成樹脂素材）からアリ溝２の内面形状よりもやや大きな外面形状に構成されているとともに、圧縮力によってアリ溝２の内面形状よりも小さな外面形状まで弾性縮形変形可能に構成されている。
【００３４】
具体的には、開口幅縮小部材９Ａは、図４に示すように、非圧縮状態での幅寸法ｗ３が、前記アリ溝２の溝幅ｗｍの寸法ｗ１と同一又は略同一の寸法で構成されているとともに、非圧縮状態での高さ寸法ｈ２が、アリ溝２の高さ寸法ｈ１よりも大きな寸法で構成され、図５に示すように、圧縮力によって高さ方向で弾性的に縮小させた状態でアリ溝２に挿入可能に構成されている。
【００３５】
そのため、図６に示すように、開口幅縮小部材９Ａの弾性復元によってアリ溝２の内面を開口幅縮小部材９Ａの外面で自動的に押圧する形態で、すなわち、開口幅縮小部材９Ａの弾性復元によってアリ溝２の内面と開口幅縮小部材９Ａの外面との摩擦力を自動的に高める形態で開口幅縮小部材９Ａをアリ溝２に装着することができる。
【００３６】
そして、図８に示すように、前記開口幅縮小部材９Ａは、アリ溝２への挿入装着状態において底壁部９ａの外面（下面）がアリ溝２の凹溝２ａの底面に押圧状態で接当し、且つ、天井壁部９ｃの外面（上面）がアリ溝２の掛止片部２ｂの下面に対して押圧状態で接当することで、アリ溝２への挿入装着状態においてアリ溝２の掛止片部２ｂの下面を接当支持する。よって、支持ブロック１の上面部１Ａからの加重に対するアリ溝２の掛止片部２ｂ（すなわち、開口縁部）の強度を効果的に高める。
【００３７】
また、開口幅縮小部材９Ａの両側壁部９ｂは、それの高さ方向中間部が内面側に膨出する形態、本例では、高さ方向中間部が内面側に滑らかに膨出する湾曲形態で構成され、高さ方向中間部が更に内面側に膨出する形態での弾性湾曲変形による高さ方向での弾性縮形変形でアリ溝２に挿入可能で、且つ、アリ溝２への挿入装着状態においても内面側に弾性的に膨出した湾曲姿勢となるように構成されている。
【００３８】
そのため、開口幅縮小部材９Ａの両側壁部９ｂによって、アリ溝２に挿入装着するための弾性縮形性能を得ながらも、機器類用連結具Ｔ２のボルトｔ４の外面を弾性的に挟み込む形態でボルトｔ４を拘束保持することができる。
【００３９】
なお、前記支持ブロック１の内部には、重量調整用の充填材Ｊを充填する充填空間４が刳り貫き形成されているとともに、支持ブロック１の底面部（換言すれば、下面部）１Ｂには、前記充填空間４を外部に開口させる充填材挿脱用の挿脱口５を開閉操作自在な開閉扉６が設けられている。
【００４０】
そのため、当該支持ブロック１は、前記開閉扉６による前記挿脱口５の開閉操作で重量調整用の充填材Ｊを任意のタイミングで挿脱することができるとともに、充填材Ｊの充填量についても任意に設定することができる。また、開閉扉６の開閉操作によって充填材Ｊの充填量の変更も容易に行うことができる。なお、前記充填材Ｊとしては、本例では、下水をリサイクルした砂状の溶融スラグを用いている。
【００４１】
前記開閉扉６は、被設置面Ｇに対する設置面を構成する状態で底面部１Ｂに設けられている。そのため、被設置面Ｇへの設置状態において前記挿脱口５及び前記開閉扉６を視認し難くすることができる。また、被設置面Ｇへの設置状態では、重力（管類Ｐや機器類Ｋや支持ブロック１や充填材Ｊの重量）によって開閉扉６が被設置面Ｇに押圧されるから、その重力による押圧力で開閉扉６が不測に開くのを効率的に抑止することができる。
【００４２】
また、支持ブロック１には、被設置面Ｇとの摩擦抵抗を増大させる被設置面用の滑り止め手段と、支持ブロック１の設置による被設置面Ｇの損傷を抑止する損傷抑止手段と、開閉扉６の開閉操作する操作者の操作部位（例えば、指腹など）と開閉扉６との摩擦抵抗を増大させる操作者用の滑り止め手段が設けられている。
【００４３】
前記各滑り止め手段及び損傷抑止手段は、前記開閉扉６の外面（本例では、下面）に貼設された樹脂製（本例では、排タイヤをリサイクルした合成ゴム製）のシート状物７から構成されている。
【００４４】
前記開閉扉６は、図９（ａ）、（ｂ）に示すように、横方向（本例では、縦長さ方向）へのスライド移動で前記挿脱口５を開閉するスライド扉（換言すれば、引き戸構造）から構成されている。具体的には、前記開閉扉６の両側縁端部及び後縁端部の厚み方向中央位置には、支持ブロック１における前記挿脱口５の内周縁部に凹設されたレール溝５ａに入り込む縁片部６ａが延設されている。
【００４５】
すなわち、開閉扉６の縁片部６が支持ブロック１のレール溝５ａ内を縦長さ方向に沿って摺動する状態で挿脱口５を開閉操作するように構成されている。そのため、充填材Ｊを充填した後、支持ブロック１を被設置面Ｇに設置操作する際において、開閉扉６が重力によって不測に開くのを防止できる。また、縁片部６によって、開閉扉６と挿脱口５との隙間から充填材Ｊが毀れることも効果的に抑止することができる。
【００４６】
８は、支持ブロック１どうしを縦長さ方向に並べて連結する連結ピン（図示しない）を挿設するための連結用穴である。当該連結用穴８は、支持ブロック１の前面部（正面部）１Ｃ及び後面部（背面部）１Ｄの各々に一対づつ設けられている。
【００４７】
なお、開口幅縮小部材９Ａは、前記アリ溝２の溝幅ｗｍを縮小する溝幅縮小部材を構成する。
【００４８】
〔第２実施形態〕
図１０に示すように、当該第２実施形態の支持ブロック１では、前記開口幅縮小部材９Ａを構成するのに、前記アリ溝２´の底壁を形成する底壁部９ａの両側端のやや内側寄り部位からアリ溝２´の両側面を形成する側壁部９ｂ、９ｂが略垂直に立ち上げ形成されている。
【００４９】
また、側壁部９ｂ、９ｂの各々の上端部から天井壁部９ｃ、９ｃが内外両向きに突出する形態で形成されている。そして、当該天井壁部９ｃ、９ｃどうしの間にアリ溝２´の開口部９ｄが長手方向に延伸する状態で形成されている。
【００５０】
尚、その他の構成は、第１実施形態で説明した構成と同一であるから、同一の構成箇所には、第１実施形態と同一の番号を付記してそれの説明は省略する。
【００５１】
〔第３実施形態〕
図９に示すように、当該第３実施形態の支持ブロック１では、前記開口幅縮小部材９Ａの上部、具体的には、天井壁部９ｃ、９ｃの内側先端部に、アリ溝２への挿入装着状態においてアリ溝２の上部開口を通じて上面部１Ａの支持面に回り込む回り込み片部９ｅが設けられている。
【００５２】
そのため、開口幅縮小部材９Ａをアリ溝２に挿入装着した状態で機器類Ｋなどの支持対象物を支持面に支持させることによって、開口幅縮小部材９Ａの回り込み片部９ｅを支持面と機器類Ｋとの間で挟圧する状態で開口幅縮小部材９Ａをアリ溝２に装着することができる。
【００５３】
尚、その他の構成は、第２実施形態で説明した構成と同一であるから、同一の構成箇所には、第２実施形態と同一の番号を付記してそれの説明は省略する。
【００５４】
〔その他の実施形態〕
（１）開口幅変更手段９の具体的構成は、前述の各実施形態で示した開口幅縮小部材９Ａに限らず、種々の構成変更が可能である。例えば、開口幅変更手段９を構成するのに、アリ溝２の開口幅ｗｋを変更可能な引き戸構造や開き戸構造、折れ戸構造などの扉機構１０が設けられていてもよい。
【００５５】
例えば、図１２に示すように、引き戸構造の扉機構１０は、アリ溝２の開口淵部に形成した戸袋１０ａと、当該戸袋１０ａの内部をスライド移動可能な扉体１０ｂとから構成することができる。この場合、図１２（ａ）の状態から図１２（ｂ）の状態にすることで開口幅ｗｋを縮小したり、図１２（ａ）の状態から図１２（ｃ）の状態にすることで開口幅ｗｋを拡大したりすることができる。
【００５６】
尚、その他の構成は、第１実施形態で説明した構成と同一であるから、同一の構成箇所には、第１実施形態と同一の番号を付記してそれの説明は省略する。
【００５７】
（２）開口幅縮小部材９Ａの素材や形態等の具体的構成は、前述の各実施形態で示した構成に限らず種々の構成変更が可能であり、例えば、金属製などであってもよく、また、複数の部材から構成されていたりしてもよい。
【００５８】
（３）支持ブロック１の素材や形態等の具体的構成は、前述の各実施形態で示した構成に限らず種々の構成変更が可能である。例えば、金属製やコンクリート製などであってもよく、また、前記挿脱口５や前記開閉扉６が設けられていなくてもよい。
【００５９】
（４）開閉扉６の具体的構造は、前述の実施形態で示した片引きタイプの引き戸構造に限らず、引き違いタイプや引き分けタイプの引き戸構造、片開きタイプや両開きタイプの開き戸構造、折れ戸構造などの種々の構造を採用することができる。
【００６０】
（５）前述の実施形態では、重量調整用の充填材Ｊとして砂状の溶融スラグを例に示したが、例えば、施工現場の廃材や砂、或いは、コンクリート塊、モルタル、砂利など、種々の材料を採用することができる。
【００６１】
（６）前述の実施形態では、開閉扉６が支持ブロック１から着脱自在に構成されている場合を例に示したが、挿通口５を所定面積分だけ開口させた開口位置からの離脱を防止するストッパ等を設けることで、開閉扉６が支持ブロック１から着脱不能に構成されていてもよい。
【図面の簡単な説明】
【００６２】
【図１】第１実施形態における支持ブロックの使用状態（開口幅縮小部材を装着していない状態）を示す斜視図
【図２】図１のＩＩ−ＩＩ線断面図（横断面図）
【図３】図１のＩＩＩ−ＩＩＩ線断面図（縦断面図）
【図４】第１実施形態における開口幅縮小部材の取付方法を示す説明図
【図５】第１実施形態における開口幅縮小部材の取付方法を示す説明図
【図６】第１実施形態における開口幅縮小部材の取付方法を示す説明図
【図７】第１実施形態における支持ブロックの使用状態（開口幅縮小部材を装着した状態）を示す斜視図
【図８】図７のＩＶ−ＩＶ線断面図（横断面図）
【図９】第１実施形態における開閉扉の使用方法を示す説明図
【図１０】第２実施形態における支持ブロックの使用状態（開口幅縮小部材を装着した状態）を示す横断面図
【図１１】第３実施形態における支持ブロックの使用状態（開口幅縮小部材を装着した状態）を示す横断面図
【図１２】その他の実施形態における支持ブロックの説明断面図
【符号の説明】
【００６３】
Ｐ、Ｋ        支持対象物
Ｔ１、Ｔ２    連結具
ｔ１、ｔ４    被掛止部
ｗｋ          開口幅
ｗｍ          溝幅
１            支持ブロック
２            アリ溝
９            開口幅変更手段
９Ａ          開口幅縮小部材、溝幅縮小部材
９ｅ          回り込み片部
【図１】
0005249597.tif 000002
【図２】
0005249597.tif 000003
【図３】
0005249597.tif 000004
【図４】
0005249597.tif 000005
【図５】
0005249597.tif 000006
【図６】
0005249597.tif 000007
【図７】
0005249597.tif 000008
【図８】
0005249597.tif 000009
【図９】
0005249597.tif 000010
【図１０】
0005249597.tif 000011
【図１１】
0005249597.tif 000012
【図１２】
0005249597.tif 000013